(57)【要約】  報知を使用者に認識させる必要性の高低に応じてクレードルの回転を制御する。複数種類の情報の組合せによりスマートフォン（１）の報知を使用者に認識させる必要性の高低を判断する判断部（１３）と、充電台（２）の回転に係る指示情報を充電台（２）に送信するコマンド作成部（１５）と、を備える。
2018198727.tif 000002
【特許請求の範囲】
【請求項１】
クレードルに搭載される端末装置を制御する制御装置であって、
複数種類の情報の組合せにより上記端末装置の報知を使用者に認識させる必要性の高低を判断する判断部と、
上記クレードルの回転に係る指示情報を上記クレードルに送信する情報送信部と、を備えることを特徴とする制御装置。
【請求項２】
上記複数種類の情報に、上記端末装置の周囲の照度が所定値以上であることを示す情報、および上記端末装置の周囲にいる人が活動中であることを示す情報が含まれている場合に、
上記情報送信部は、上記指示情報として、上記端末装置の表示部が人の方に向くように上記クレードルを回転させる情報を送信することを特徴とする請求項１に記載の制御装置。
【請求項３】
上記活動中であることを示す情報が、上記端末装置の周囲にいる人の対話に係る音声情報であることを特徴とする請求項２に記載の制御装置。
【請求項４】
上記複数種類の情報に、上記端末装置の周囲の照度が所定値未満であることを示す情報、および上記端末装置の周囲にいる人が活動していないことを示す情報が含まれている場合に、
上記情報送信部は、上記指示情報として、上記クレードルを回転させない情報、または上記端末装置の表示部が人の方と反対方向に向くように上記クレードルを回転させる情報を送信することを特徴とする請求項１に記載の制御装置。
【請求項５】
上記活動していないことを示す情報が、上記端末装置の周囲にいる人のいびきに係る音声情報であることを特徴とする請求項４に記載の制御装置。
【請求項６】
請求項１〜５の何れか１項に記載の制御装置を備える端末装置。
【請求項７】
請求項１〜５の何れか１項に記載の制御装置から指示情報を受信する情報受信部を備えていることを特徴とするクレードル。
【請求項８】
クレードルに搭載される端末装置を制御する制御装置の制御方法であって、
複数種類の情報の組合せにより上記端末装置の報知を使用者に認識させる必要性の高低を判断する判断ステップと、
上記クレードルの回転に係る指示情報を上記クレードルに送信する情報送信ステップと、を含むことを特徴とする制御方法。
【請求項９】
請求項１に記載の制御装置としてコンピュータを機能させるための制御プログラムであって、上記判断部および上記情報送信部としてコンピュータを機能させるための制御プログラム。
【発明の詳細な説明】
【技術分野】
【０００１】
本発明は、回転可能なクレードルに搭載された端末装置を制御する制御装置等に関する。
【背景技術】
【０００２】
近年、スマートフォンなどの携帯端末を搭載した状態で回転可能に構成された回転式の充電台（クレードル）が開発されている。例えば、特許文献１には、充電台が上段部、中段部および下段部から構成されており、携帯端末を搭載した状態で上段部が回転するように構成された回転式の充電台が開示されている。【０００３】
この充電台は、上段部および中段部が軸を介して接続され、軸はモータに接続され、モータが回転動作を行うと、充電台の上段部が回転する回転動作が行われるようになっている。また、特許文献１に記載された技術では、周囲に人がいるか否かの検知結果に応じて充電台の回転等の報知制御を行っている。
【先行技術文献】
【特許文献】
【０００４】
【特許文献１】日本国公開特許公報「特開２００６−０４１７４６号公報（２００６年２月９日公開）」
【発明の概要】
【発明が解決しようとする課題】
【０００５】
しかしながら、上記従来技術では、周囲に人がいるか否かの検知結果のみで充電台の回転等の報知制御を行うか否かを決定しているため、報知を使用者に認識させる必要がない場合にも報知制御が行われてしまう可能性があるという問題点がある。例えば、携帯端末の周囲にいる人が就寝中であるような場合には、報知制御は不要である。【０００６】
本発明の一態様は、上記の問題点に鑑みて為されたものであり、その目的は、報知を使用者に認識させる必要性の高低に応じてクレードルの回転を制御することができる制御装置等を実現できる。
【課題を解決するための手段】
【０００７】
上記の課題を解決するために、本発明の一態様に係る制御装置は、クレードルに搭載される端末装置を制御する制御装置であって、複数種類の情報の組合せにより上記端末装置の報知を使用者に認識させる必要性の高低を判断する判断部と、上記クレードルの回転に係る指示情報を上記クレードルに送信する情報送信部と、を備えることを特徴としている。【０００８】
上記の課題を解決するために、本発明の一態様に係る制御装置の制御方法は、クレードルに搭載される端末装置を制御する制御装置の制御方法であって、複数種類の情報の組合せにより上記端末装置の報知を使用者に認識させる必要性の高低を判断する判断ステップと、上記クレードルの回転に係る指示情報を上記クレードルに送信する情報送信ステップと、を含むことを特徴としている。
【発明の効果】
【０００９】
本発明の一態様に係る制御装置またはその制御方法によれば、報知を使用者に認識させる必要性の高低に応じてクレードルの回転を制御することができるという効果を奏する。
【図面の簡単な説明】
【００１０】
【図１】本発明の実施の一形態に係る報知システムの構成を示すブロック図である。
【図２】上記報知システムを構成するスマートフォンおよび充電台の外観を示す図である。
【図３】上記報知システムの動作の流れを示すフローチャートである。
【図４】上記報知システムの動作の流れを示すフローチャートである。
【図５】上記報知システムの動作の流れを示すフローチャートである。
【発明を実施するための形態】
【００１１】
本発明の実施の形態について図１〜図５に基づいて説明すれば、次の通りである。以下、説明の便宜上、ある項目にて説明した構成と同一の機能を有する構成については、他の項目においても同一の符号を付記し、その説明を省略する場合がある。
【００１２】
〔通信システムの概要〕
本実施形態に係る報知システム５００は、スマートフォン（端末装置）１と、スマートフォン１を搭載する充電台（クレードル）２とから成る。以下、スマートフォン１および充電台２の外観の一例を、図２を用いて説明する。
【００１３】
図２は、本実施形態に係る報知システム５００に含まれるスマートフォン１および充電台２の外観を示す図である。図２の（ａ）は、スマートフォン１と、スマートフォン１を搭載した状態の充電台２とを示している。
【００１４】
スマートフォン１は、周囲に居る人物に報知を行う端末装置である。詳しくは後述するが、スマートフォン１は例えば、自装置で発生した、または他の装置から受信した報知すべき事象を充電台２の回転動作、スピーカ５０からの音、バイブレータ５１の振動、またはＬＥＤ（Light Emitting Diode）５２による発光で周囲の人物に報知する。スマートフォン１は、例えば、携帯電話またはタブレットＰＣ等の端末装置であってもよい。スマートフォン１には、スマートフォン１の各種機能を制御する制御装置（後述の制御部１０）が搭載されている。
【００１５】
充電台２は、スマートフォン１を搭載可能なクレードルである。なお、充電台２において充電機能は必須ではない。充電台２はスマートフォン１を搭載した状態で回転することができる。より詳しくは、充電台２は固定部２１０と、筐体２００とを備えている。また、充電台２は電源と接続するためのケーブル２２０を備えていてもよい。
【００１６】
固定部２１０は、充電台２の土台部分であり、充電台２を床面や机等に設置したときに充電台２を固定する部分である。筐体２００は、スマートフォン１の台座となる部分である。筐体２００の形状は特に限定されないが、回転時にもスマートフォン１を確実に保持できるような形状であることが望ましい。筐体２００は、スマートフォン１を保持した状態で、内蔵のモータ（後述のモータ１２０）の動力により回転する。なお、筐体２００の回転方向は特に限定しない。
【００１７】
図２の（ｂ）は、スマートフォン１を搭載していない状態の充電台２の外観を示す図である。筐体２００は、スマートフォン１と接続するためのコネクタ１００を備えている。詳しくは後述するが、充電台２はコネクタ１００を介してスマートフォン１から種々の指示（コマンド）を受信し、該コマンドに基づいて動作する。
【００１８】
〔スマートフォン１の要部構成〕
図１は、報知システム５００を構成するスマートフォン１および充電台２の要部構成の一例を示すブロック図である。スマートフォン１は図示の通り、制御部（制御装置）１０、通信部２０、カメラ３０、マイク３１、ジャイロセンサ３２、加速度センサ３３、照度センサ３４、メモリ４０、スピーカ５０、バイブレータ５１、ＬＥＤ５２、コネクタ６０、接続検知部６１、バッテリ７０、電力供給検知部７１、および表示部８０を備える。
【００１９】
通信部２０は、他の装置とスマートフォン１との情報の送受信を行う。通信部２０は他の装置から受信した情報を制御部１０に送信する。例えば、他のスマートフォンから電話の着信があった場合、通信部２０は着信がある旨を制御部１０に伝える。また例えば、他のスマートフォン１からメールを受信した場合、通信部２０は該メールの受信を制御部１０に伝える。
【００２０】
カメラ３０は、スマートフォン１の周囲の状況を示す情報を取得するための入力デバイスの１つである。カメラ３０は、スマートフォン１の周囲を静止画または動画で撮影する。カメラ３０は、所定の時間間隔で撮影を行い、撮影データを制御部１０の情報取得部１２に送信する。なお、カメラ３０はスマートフォン１の表示部８０およびスピーカ５０の少なくとも一方と同じ向きに設けられることが望ましい。これにより、カメラ３０はスマートフォン１の向いている方向から所定範囲内（カメラ３０の撮影可能な範囲内）の状況を、撮影データに収めることができる。
【００２１】
マイク３１は、スマートフォン１の周囲の状況を示す情報を取得するための入力デバイスの１つである。マイク３１は、スマートフォン１の周囲で発生した音声を集音する。ジャイロセンサ３２は、スマートフォン１の状態を示す情報を取得するための入力デバイスの１つである。ジャイロセンサ３２は、スマートフォン１の傾きを検知する。
【００２２】
加速度センサ３３は、スマートフォン１の状態を示す情報を取得するための入力デバイスの１つである。加速度センサ３３は、スマートフォン１の振動や衝撃を検知する。照度センサ３４は、スマートフォン１の周囲の状況を示す情報を取得するための入力デバイスの１つである。照度センサ３４は、スマートフォン１の周囲の照度を検知する。
【００２３】
制御部１０は、スマートフォン１を統括的に制御する。制御部１０は、イベント監視部１１、情報取得部１２、判断部１３、報知制御部１４、およびコマンド作成部（情報送信部）１５を含む。
【００２４】
イベント監視部１１は、イベントの発生および終了を監視する。イベントとは、スマートフォン１においてユーザに通知すべき事象であると予め定められている、特定の事象を意味する。イベントとは例えば、電話の発信および着信、メールの送信および受信、スマートフォン１のアラームやタイマーによる特定の時刻の通知、ならびにスマートフォン１にダウンロードされた各種アプリケーションからの通知等である。
【００２５】
イベント監視部１１はイベントの発生を検知すると、情報取得部１２にイベントが発生した旨を通知するとともに、報知制御部１４に発生したイベントの種類を通知する。また、イベント監視部１１は、イベントの終了を検知すると、イベントが終了した旨を情報取得部１２および報知制御部１４に通知する。
【００２６】
なお、イベント監視部１１は、スマートフォン１の電源がオンの間、常時イベントの発生を監視していてもよい。また、イベント監視部１１はスマートフォン１がマナーモードや省電力モード等、音声や映像による報知を行わないモードに設定されている場合は、イベントの発生を監視しないこととしてもよい。
【００２７】
情報取得部１２は、イベント監視部１１からイベントの発生を通知されると、カメラ３０からスマートフォン１の周囲を撮影した撮影データを取得し、画像解析を行って、スマートフォン１の周囲が明るい（例えば、平均の階調値が所定値以上）か、暗い（例えば、平均の階調値が所定値未満）か、を判定する。
【００２８】
情報取得部１２は、上記の判定結果に基づき、スマートフォン１の周囲が明るいことを示す情報、またはスマートフォン１の周囲が暗いことを示す情報を生成して判断部１３に送信する。
【００２９】
情報取得部１２はマイク３１から集音される音声を取得して音声認識等の処理を行う。情報取得部１２は、上記の処理の結果に基づき、スマートフォン１の周囲にいる人が活動中であることを示す情報、またはスマートフォン１の周囲にいる人が活動していないことを示す情報を生成して判断部１３に送信する。スマートフォン１の周囲にいる人が活動中であることを示す情報の例としては、例えば、スマートフォン１の周囲にいる人の対話に係る音声情報を例示することができる。また、スマートフォン１の周囲にいる人が活動していないことを示す情報の例としては、スマートフォン１の周囲にいる人のいびきに係る音声情報を例示することができる。また、スマートフォン１の周囲にいる人が活動していないことを示す情報の別の例として、スマートフォン１の周囲にいる人の鼻呼吸の音に係る情報を例示することができる。
【００３０】
情報取得部１２は、ジャイロセンサ３２からスマートフォン１の傾きに関する情報を取得し、スマートフォン１が充電台２に搭載されているか否かを推定し、その推定結果を判断部１３に送信する。
【００３１】
情報取得部１２は、加速度センサ３３からスマートフォン１の振動や衝撃を検知した検知情報を取得し、スマートフォン１がポケットやカバンの中に入っているか否か、またはスマートフォン１が充電台２に搭載されているか否かを推定し、その推定結果を判断部１３に送信する。
【００３２】
情報取得部１２は、照度センサ３４からスマートフォン１の周囲の照度を検知した検知情報を取得し、スマートフォン１の周囲が明るい（照度が所定値以上）か、暗い（照度が所定値未満）か、を判定し、その判定結果に基づき、スマートフォン１の周囲の照度が所定値以上である（明るい）ことを示す情報、またはスマートフォン１の周囲の照度が所定値未満である（暗い）ことを示す情報を生成し、判断部１３に送信する。
【００３３】
情報取得部１２は、電力供給検知部７１からバッテリ７０に対して電力の供給が行われているか否かの検知情報を取得し、スマートフォン１が充電台２に搭載されているか否かを推定し、その推定結果を判断部１３に送信する。バッテリ７０に対して電力の供給が行われている場合、スマートフォン１が充電台２に搭載されていると推定できる。
【００３４】
情報取得部１２は、接続検知部６１からスマートフォン１のコネクタ６０と充電台２のコネクタ１００とが接続状態にあるか否かの検知情報を取得し、スマートフォン１が充電台２に搭載されているか否かを推定し、その推定結果を判断部１３に送信する。コネクタ６０と充電台２のコネクタ１００とが接続状態にある場合、スマートフォン１が充電台２に搭載されていると推定できる。
【００３５】
判断部１３は、情報取得部１２から取得する複数種類の情報の組合せによりスマートフォン１の報知を使用者に認識させる必要性の高低を判断する。具体的には、判断部１３は、上記複数種類の情報に、スマートフォン１の周囲が明るいことを示す情報、およびスマートフォン１の周囲にいる人が活動中であることを示す情報が含まれている場合に、上記必要性が高いものと判断する。上記活動中であることを示す情報としては、例えば、スマートフォン１の周囲にいる人の対話に係る音声情報を例示することができる。
【００３６】
また、判断部１３は、上記複数種類の情報に、スマートフォン１の周囲が暗いことを示す情報、および上記端末装置の周囲にいる人が活動していないことを示す情報が含まれている場合に、上記必要性が低いものと判断する。上記活動していないことを示す情報としては、例えば、スマートフォン１の周囲にいる人のいびきに係る音声情報を例示することができる。
【００３７】
報知制御部１４は、判断部１３の判定結果に基づき、スピーカ５０を介して着信音等を出力したり、バイブレータ５１を振動させたり、ＬＥＤ５２を点灯または点滅させたりするなどの報知方法を制御する。
【００３８】
報知制御部１４は、イベント監視部１１から通知されたイベントの種類に応じた音をスピーカ５０に出力させる。また、報知制御部１４は、イベント監視部１１から通知されたイベントの種類に応じた振動をバイブレータ５１に行わせる。また、報知制御部１４は、イベント監視部１１から通知されたイベントの種類に応じてＬＥＤ５２を点灯または点滅させる。
【００３９】
報知制御部１４は、また、イベント監視部１１からイベントの終了を通知された場合、スピーカ５０の音声出力を停止させ、バイブレータ５１の振動を停止させ、ＬＥＤ５２を消灯させる。
【００４０】
コマンド作成部１５は、充電台２に対する指示（コマンド）を作成し、充電台２に送信する。コマンド作成部１５は、判断部１３から送信される上記必要性の高低に応じて、充電台２（筐体２００）の回転に係る指示情報を充電台２に送信する。
【００４１】
具体的には、コマンド作成部１５は、判断部１３からスマートフォン１の報知を使用者に認識させる必要性が高いとの判定結果を通知された場合、上記指示情報として、スマートフォン１の表示部８０が人の方に向くように充電台２（筐体２００）を回転させる情報を送信する。これにより、スマートフォン１の周囲が明るく、スマートフォン１の周囲にいる人が活動中である場合のように報知を使用者に認識させる必要性が高い場合に、スマートフォン１の表示部８０が人の方に向くようにクレードルを回転させることができる。これにより、活動中の人（例えば、対話に係る音声を発している人）に報知を容易に気付かせることができる。
【００４２】
また、コマンド作成部１５は、判断部１３からスマートフォン１の報知を使用者に認識させる必要性が低いとの判定結果を通知された場合、上記指示情報として、充電台２を回転させない情報、またはスマートフォン１の表示部８０が人の方と反対方向に向くように充電台２（筐体２００）を回転させる情報を送信する。これにより、スマートフォン１の周囲が暗く、スマートフォン１の周囲にいる人が活動していない場合のように報知を使用者に認識させる必要性が低い場合に、充電台２を回転させないか、スマートフォン１の表示部８０が人の方と反対方向に向くように充電台２を回転させることができる。これにより、報知を使用者に認識させる必要が低い場合に、無駄に報知が行われることを阻止することができる。人が活動していないことを示す情報が人のいびきに係る音声情報である場合、その人は就寝中である蓋然性が高い。これにより、報知が行われることにより人の就寝が邪魔されることを阻止することができる。
【００４３】
メモリ４０は、スマートフォン１にて使用される各種データを記憶する。メモリ４０は例えば、コマンド作成部１５が作成するコマンドの雛形などを記憶していてもよい。
【００４４】
コネクタ６０は、スマートフォン１と充電台２とを電気的に接続するためのインタフェースである。バッテリ７０はスマートフォン１の電源である。コネクタ６０は充電台２から得た電力をバッテリ７０に送ることで、バッテリ７０を充電させる。なお、コネクタ６０および後述の充電台２のコネクタ１００の接続方法および物理的な形状は特に限定されないが、これらのコネクタは例えばＵＳＢ（Universal Serial Bus）等で実現することができる。
【００４５】
〔変形例〕
情報取得部１２は、ユーザの身体情報（脈拍や体温など）をその人に取り付けられたウェアラブル端末から通信部２０を介して取得し、この身体情報に基づいて、上述したスマートフォン１の周囲にいる人が活動中であることを示す情報や、スマートフォン１の周囲にいる人が活動していないことを示す情報を生成しても良い。具体的には、脈拍が所定値より少なく、体温が所定値より低い場合に、スマートフォン１の周囲にいる人が活動していないことを示す情報を生成する。また、脈拍が所定値以上で、体温が所定値以上の場合に、スマートフォン１の周囲にいる人が活動中であることを示す情報を生成する。
【００４６】
〔充電台２の要部構成〕
充電台２は図示の通り、コネクタ１００と、マイコン（情報受信部）１１０と、モータ（動作部）１２０とを備える。なお、充電台２はケーブル２２０を介して家庭用コンセント等または電池等の電源（図示せず）と接続することができる。
【００４７】
コネクタ１００は充電台２がスマートフォン１と電気的に接続するためのインタフェースである。充電台２が電源と接続している場合、コネクタ１００は充電台２が該電源から得た電力をスマートフォン１のコネクタ６０を介しバッテリ７０に送ることで、バッテリ７０を充電させる。
【００４８】
マイコン１１０は、充電台２を統括的に制御するものである。マイコン１１０は、コネクタ１００を介して、スマートフォン１からコマンドを受信する。マイコン１１０は受信したコマンドに従って、モータ１２０の動作を制御する。具体的には、マイコン１１０はスマートフォン１から回転指示を受信した場合、固定部２１０が回転するようにモータ１２０を制御する。
【００４９】
モータ１２０は筐体２００を回転させるための動力装置である。モータ１２０はマイコン１１０の制御に従って動作または停止することで、固定部２１０を回転または停止させる。
【００５０】
〔報知システム５００の動作（その１）〕
次に、図３に基づき、上述した報知システム５００の動作の例を説明する。ステップＳ（以下「ステップ」は省略する）１０１で、イベント監視部１１がイベントの発生を検知して、Ｓ１０２に進む。
【００５１】
Ｓ１０２では、情報取得部１２が、スマートフォン１に搭載されている機能（カメラ３０やマイク３１など）でスマートフォン１の周囲の状況を示す情報を取得し、Ｓ１０３に進む。Ｓ１０３では、情報取得部１２が、スマートフォン１に搭載されている各種センサ（ジャイロセンサ３２や加速度センサ３３など）でスマートフォン１の周囲の状況を示す情報を取得する。
【００５２】
Ｓ１０４では、判断部１３が、スマートフォン１の周囲の状況を推定し、スマートフォン１の報知を使用者に認識させる必要性の高低を判断し、Ｓ１０５に進む。Ｓ１０５では、推定されたスマートフォン１の周囲の状況（判断された上記必要性の高低）に応じて、充電台２の回転の制御を行う。
【００５３】
〔報知システム５００の動作（その２）〕
次に、図４に基づき、上述した報知システム５００の動作の例を説明する。Ｓ２０１で、イベント監視部１１がイベントの発生を検知して、Ｓ２０２に進む。Ｓ２０２では、情報取得部１２が、カメラ３０で撮影した撮影データを画像解析し、撮影した画像が明るいと判定する。また、マイク３１から集音した音声について音声認識を行い、人の話し声が検知されたと判定し、Ｓ２０３に進む。
【００５４】
Ｓ２０３では、ジャイロセンサ３２からスマートフォン１の傾きを検出し、スマートフォン１が充電台２に搭載されていると判定し、Ｓ２０４に進む。Ｓ２０４では、判断部１３がリビングまたは個人部屋で人がくつろいでいると推定し、スマートフォン１の報知を使用者に認識させる必要性が高いと判断し、Ｓ２０５に進む。
【００５５】
Ｓ２０５では、コマンド作成部１５は、スマートフォン１の表示部８０が人の方に向くように充電台２（筐体２００）を回転させる情報を送信する。これにより、スマートフォン１の表示部８０が人の方に向く。また、この状態で、スピーカ５０、バイブレータ５１またはＬＥＤ５２を駆動させて、発生したイベントの種類（例えば、電話着信など）を報知する。
【００５６】
〔報知システム５００の動作（その３）〕
次に、図５に基づき、上述した報知システム５００の動作の例を説明する。Ｓ３０１で、イベント監視部１１がイベントの発生を検知して、Ｓ３０２に進む。Ｓ３０２では、情報取得部１２が、カメラ３０で撮影した撮影データを画像解析し、撮影した画像が暗いと判定する。また、マイク３１から集音した音声について音声認識を行い、人のいびきに係る音声が検知されたと判定し、Ｓ３０３に進む。
【００５７】
Ｓ３０３では、ジャイロセンサ３２からスマートフォン１の傾きを検出し、スマートフォン１が充電台２に搭載されていると判定し、Ｓ３０４に進む。Ｓ３０４では、判断部１３がスマートフォン１の周囲の人が就寝中であると推定し、スマートフォン１の報知を使用者に認識させる必要性が低いと判断し、Ｓ２０５に進む。
【００５８】
Ｓ２０５では、コマンド作成部１５は、上記指示情報として、充電台２を回転させない情報、またはスマートフォン１の表示部８０が人の方と反対方向に向くように充電台２（筐体２００）を回転させる情報を送信する。これにより、充電台２を回転させないか、またはスマートフォン１の表示部８０が人の反対方向に向くように充電台２が回転される。
【００５９】
〔ソフトウェアによる実現例〕
スマートフォン１の制御部１０の制御ブロック（特に判断部１３、報知制御部１４およびコマンド作成部１５）は、集積回路（ＩＣチップ）等に形成された論理回路（ハードウェア）によって実現してもよいし、ＣＰＵ（Central Processing Unit）を用いてソフトウェアによって実現してもよい。
【００６０】
後者の場合、スマートフォン１の制御部１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６１】
〔まとめ〕
本発明の態様１に係る制御装置（スマートフォン１）は、クレードル（充電台２）に搭載される端末装置を制御する制御装置（制御部１０）であって、複数種類の情報の組合せにより上記端末装置の報知を使用者に認識させる必要性の高低を判断する判断部（１３）と、上記クレードルの回転に係る指示情報を上記クレードルに送信する情報送信部（コマンド作成部１５）と、を備える構成である。上記構成によれば、報知を使用者に認識させる必要性の高低に応じてクレードルの回転を制御することができる。
【００６２】
本発明の態様２に係る制御装置は、上記態様１において、上記複数種類の情報に、上記端末装置の周囲の照度が所定値以上であることを示す情報、および上記端末装置の周囲にいる人が活動中であることを示す情報が含まれている場合に、上記情報送信部は、上記指示情報として、上記端末装置の表示部が人の方に向くように上記クレードルを回転させる情報を送信しても良い。上記構成によれば、端末装置の周囲の照度が所定値以上で明るく、端末装置の周囲にいる人が活動中である場合に、上記端末装置の表示部が人の方に向くようにクレードルを回転させることができる。これにより、活動中の人に報知を容易に気付かせることができる。
【００６３】
本発明の態様３に係る制御装置は、上記態様２において、上記活動中であることを示す情報が、上記端末装置の周囲にいる人の対話に係る音声情報であっても良い。上記構成によれば、端末装置の周囲が明るく、端末装置の周囲にいる人が対話に係る音声を発している場合のように報知を使用者に認識させる必要性が高い場合に、クレードルを回転させることができる。これにより、対話に係る音声を発している人に報知を容易に気付かせることができる。
【００６４】
本発明の態様４に係る制御装置は、上記態様１において、上記複数種類の情報に、上記端末装置の周囲の照度が所定値未満であることを示す情報、および上記端末装置の周囲にいる人が活動していないことを示す情報が含まれている場合に、上記情報送信部は、上記指示情報として、上記クレードルを回転させない情報、または上記端末装置の表示部が人の方と反対方向に向くように上記クレードルを回転させる情報を送信しても良い。上記構成によれば、端末装置の周囲の照度が所定値未満で暗く、端末装置の周囲にいる人が活動していない場合に、クレードルを回転させないか、端末装置の表示部が人の方と反対方向に向くようにクレードルを回転させることができる。これにより、無駄に報知が行われることを阻止することができる。
【００６５】
本発明の態様５に係る制御装置は、上記態様４において、上記活動していないことを示す情報が、上記端末装置の周囲にいる人のいびきに係る音声情報であっても良い。人が活動していないことを示す情報が人のいびきに係る音声情報である場合、その人は就寝中である蓋然性が高い。これにより、報知が行われることにより人の就寝が邪魔されることを阻止することができる。
【００６６】
本発明の態様６に係る端末装置は、上記態様１〜５の何れかの制御装置を備えることが好ましい。上記構成によれば、上記態様１に記載の制御装置と同様の効果を奏する。
【００６７】
本発明の態様７に係るクレードルは、上記態様１〜５の何れかの制御装置から指示情報を受信する情報受信部を備えていることが好ましい。上記構成によれば、上記態様１に記載の制御装置と同様の効果を奏する。
【００６８】
本発明の態様８に係る制御装置の制御方法は、クレードルに搭載される端末装置を制御する制御装置の制御方法であって、複数種類の情報の組合せにより上記端末装置の報知を使用者に認識させる必要性の高低を判断する判断ステップと、上記クレードルの回転に係る指示情報を上記クレードルに送信する情報送信ステップと、を含む方法である。上記方法によれば、上記態様１に記載の制御装置と同様の効果を奏する。
【００６９】
本発明の各態様に係る制御装置は、コンピュータによって実現してもよく、この場合には、コンピュータを上記制御装置が備える各部（ソフトウェア要素）として動作させることにより上記制御装置をコンピュータにて実現させる制御装置の制御プログラム、およびそれを記録したコンピュータ読み取り可能な記録媒体も、本発明の範疇に入る。
【００７０】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７１】
１  スマートフォン（端末装置）
２  充電台（クレードル）
１３  判断部
１５  コマンド作成部（情報送信部）
８０  表示部
１１０  マイコン（情報受信部）
【図１】
2018198727.tif 000003
【図２】
2018198727.tif 000004
【図３】
2018198727.tif 000005
【図４】
2018198727.tif 000006
【図５】
2018198727.tif 000007
【国際調査報告】
2018198727.tif 000008
2018198727.tif 000009